【手続補正書】
【提出日】平成17年3月10日(2005.3.10)
【手続補正１】
【補正対象書類名】明細書
【補正対象項目名】特許請求の範囲
【補正方法】変更
【補正の内容】
【特許請求の範囲】
【請求項１】
所定の遊技領域において、遊技球の入賞を許容する少なくとも１つの特定入賞手段を備え、
前記特定入賞手段は、複数の入賞領域を有し、
前記各入賞領域への遊技球の入賞に基づき、当該各入賞領域に対応した所定数の遊技球が払い出されるように構成されるとともに、
前記複数の入賞領域のうちのいずれかへの遊技球の入賞に起因して、特定遊技状態が発生するように構成され、
前記特定遊技状態の発生中における前記各入賞領域に対応した遊技球の払出数より、
前記特定遊技状態が発生していない通常状態中における前記各入賞領域に対応した遊技球の払出数が少なくなるように構成されたことを特徴とする遊技機。
【請求項２】
所定の遊技領域において、遊技球の入賞を許容する少なくとも１つの特定入賞手段を備え、
前記特定入賞手段は、複数の入賞領域を有し、
前記各入賞領域への遊技球の入賞に基づき、当該各入賞領域に対応した所定数の遊技球が払い出されるように構成され、
前記複数の入賞領域のうちのいずれかへの遊技球の入賞に起因して、特定遊技状態が発生するように構成され、
所定条件の成立に基づき、特定付加状態が発生するように構成され、
前記特定遊技状態又は特定付加状態の発生中における前記各入賞領域に対応した遊技球の払出数より、
前記特定遊技状態又は特定付加状態が発生していない通常状態中における前記各入賞領域に対応した遊技球の払出数が少なくなるように構成されたことを特徴とする遊技機。
【請求項３】
所定の遊技領域において、遊技球の入賞を許容する少なくとも１つの特定入賞手段を備え、
前記特定入賞手段は、遊技球の入賞を許容する少なくとも１つの第１一般入賞領域及び少なくとも１つの第２一般入賞領域を備えるとともに、前記特定入賞手段へ入賞した遊技球が前記第１一般入賞領域又は前記第２一般入賞領域へと導かれるように当該遊技球を振り分ける振分け手段を備え、
前記特定入賞手段への遊技球の入賞に起因して、特定条件が成立した場合には、特定遊技状態を発生させ、かつ、所定条件の成立した場合には、特定付加状態を発生させることのできる遊技制御手段を備え、
前記遊技制御手段は、少なくとも前記特定遊技状態及び特定付加状態の発生に際し前記振分け手段を駆動制御できるように構成され、
前記各入賞領域への遊技球の入賞に基づき、前記各賞領域に対応した所定数の遊技球が払い出されるように構成され、
前記振分け手段によって、前記特定遊技状態又は特定付加状態の発生中においては、遊技球が前記第１一般入賞領域へ入賞し、かつ、前記特定遊技状態又は特定付加状態が発生していない通常状態中においては遊技球が前記第２一般入賞領域へ入賞するように構成され、
少なくとも前記第１一般入賞領域に対応した遊技球の払出数より、前記第２一般入賞領域に対応した遊技球の払出数が少なく設定されていることを特徴とする遊技機。
【請求項４】
所定の遊技領域において、遊技球の入賞を許容する少なくとも１つの特定入賞手段を備え、
前記特定入賞手段は、遊技球の入賞を許容する少なくとも１つの第１一般入賞領域及び少なくとも１つの第２一般入賞領域を備えるとともに、前記特定入賞手段へ入賞した遊技球が前記第１一般入賞領域又は前記第２一般入賞領域へと導かれるように当該遊技球を振り分ける振分け手段を備え、
さらに、前記各特定入賞手段及び各入賞領域への遊技球の入賞を検出する少なくとも１つの検出手段と、
前記検出手段による検出結果に基づき各種遊技制御を行う遊技制御手段と、
前記遊技制御手段からの制御信号に基づき、前記各入賞領域に対応した所定数の遊技球の払出しを制御する払出制御手段とを備え、
前記遊技制御手段は、前記特定入賞手段への遊技球の入賞に起因して、特定条件が成立した場合には、特定遊技状態を発生させ、かつ、所定条件の成立した場合には、特定付加状態を発生させるように構成されるとともに、
少なくとも前記特定遊技状態及び特定付加状態の発生に際し前記振分け手段を駆動制御できるように構成され、
前記振分け手段によって、前記特定遊技状態又は特定付加状態の発生中においては、遊技球が前記第１一般入賞領域へ入賞し、かつ、前記特定遊技状態又は特定付加状態が発生していない通常状態中においては遊技球が前記第２一般入賞領域へ入賞するように構成され、
少なくとも前記第１一般入賞領域に対応した遊技球の払出数より、前記第２一般入賞領域に対応した遊技球の払出数が少なく設定されていることを特徴とする遊技機。
【請求項５】
遊技球が案内される所定の遊技領域において、前記遊技球の入賞を許容する少なくとも１つの入賞手段と、当該入賞手段への前記遊技球の入賞に基づき前記遊技球が入賞可能となる可変入賞手段とを備え、
前記可変入賞手段は、複数の入賞領域を備え、
前記各入賞領域への前記遊技球の入賞に基づき、当該各入賞領域に対応した所定数の遊技球が払い出されるように構成されるとともに、
前記複数の入賞領域のうちの特定入賞領域へ遊技球が入賞した場合に、特定遊技状態が発生するように構成され、
前記特定遊技状態の発生中における前記各入賞領域に対応した遊技球の払出数より、
前記特定遊技状態が発生していない通常状態中における前記各入賞領域に対応した遊技球の払出数が少なくなるように構成されたことを特徴とする遊技機。
【請求項６】
遊技球が案内される所定の遊技領域において、前記遊技球の入賞を許容する少なくとも１つの入賞手段と、当該入賞手段への遊技球の入賞に基づき遊技球が入賞可能となる可変入賞手段とを備え、
前記可変入賞手段は、複数の入賞領域を備え、
前記各入賞領域への前記遊技球の入賞に基づき、当該各入賞領域に対応した所定数の遊技球が払い出されるように構成されるとともに、
前記複数の入賞領域のうちの特定入賞領域へ前記遊技球が入賞した場合に、特定遊技状態が発生するように構成され、
少なくとも前記特定入賞領域以外の入賞領域に対応した遊技球の払出数が、前記特定遊技状態の発生中より、前記特定遊技状態が発生していない通常状態中の方が少なくなるように構成されていることを特徴とする遊技機。
【請求項７】
遊技球が案内される所定の遊技領域において、前記遊技球の入賞を許容する少なくとも１つの入賞手段と、当該入賞手段への遊技球の入賞に基づき遊技球が入賞可能となる可変入賞手段とを備え、
前記可変入賞手段は、複数の入賞領域を備え、
前記各入賞領域への遊技球の入賞に基づき、当該各入賞領域に対応した所定数の遊技球が払い出されるように構成された遊技機において、
前記複数の入賞領域のうちの特定入賞領域へ遊技球が入賞した場合に特定遊技状態を発生させ、かつ、当該特定遊技状態の発生に際して前記各入賞領域に対応した遊技球の払出数を切換設定する遊技制御手段を備え、
少なくとも前記特定入賞領域以外の入賞領域に対応した遊技球の払出数が、前記特定遊技状態の発生中より、前記特定遊技状態が発生していない通常状態中の方が少なくなるように構成されていることを特徴とする遊技機。
【請求項８】
遊技球が案内される所定の遊技領域において、前記遊技球の入賞を許容する少なくとも１つの入賞手段と、当該入賞手段への遊技球の入賞に基づき遊技球が入賞可能となる可変入賞手段とを備え、
前記可変入賞手段は、遊技球の入賞を許容する少なくとも１つの特定入賞領域、少なくとも１つの第１一般入賞領域及び少なくとも１つの第２一般入賞領域を備えるとともに、前記特定入賞領域に入賞しない遊技球が前記第１一般入賞領域又は前記第２一般入賞領域へと入賞可能なように当該遊技球を振り分ける振分け手段を備え、
遊技球が前記特定入賞領域に入賞した場合に特定遊技状態を発生させ、かつ、当該特定遊技状態の発生に際して前記振分け手段を駆動制御する遊技制御手段を備え、
前記各入賞領域への遊技球の入賞に基づき、前記各賞領域に対応した所定数の遊技球が払い出されるように構成されるとともに、
前記振分け手段によって、前記特定遊技状態の発生中においては、遊技球が前記第１一般入賞領域へ入賞し、かつ、前記特定遊技状態が発生していない通常状態中においては遊技球が前記第２一般入賞領域へ入賞するように構成され、
少なくとも前記第１一般入賞領域に対応した遊技球の払出数より、前記第２一般入賞領域に対応した遊技球の払出数が少なく設定されていることを特徴とする遊技機。
【請求項９】
遊技球が案内される所定の遊技領域において、遊技球の入賞を許容する少なくとも１つの入賞手段と、当該入賞手段への遊技球の入賞に基づき遊技球が入賞可能となる可変入賞手段とを備え、
前記可変入賞手段は、遊技球の入賞を許容する少なくとも１つの特定入賞領域、少なくとも１つの第１一般入賞領域及び少なくとも１つの第２一般入賞領域を備えるとともに、前記特定入賞領域に入賞しない遊技球が前記第１一般入賞領域又は前記第２一般入賞領域へと入賞可能なように当該遊技球を振り分ける振分け手段を備え、
さらに、前記各入賞手段及び各入賞領域への遊技球の入賞を検出する少なくとも１つの検出手段と、
前記検出手段による検出結果に基づき各種遊技制御を行う遊技制御手段と、
前記遊技制御手段からの制御信号に基づき、前記各入賞領域に対応した所定数の遊技球の払出しを制御する払出制御手段とを備え、
前記遊技制御手段は、遊技球が前記特定入賞領域に入賞した場合に特定遊技状態を発生させ、かつ、当該特定遊技状態の発生に際して前記振分け手段を駆動制御するよう構成されるとともに、
前記振分け手段によって、前記特定遊技状態の発生中においては、遊技球が前記第１一般入賞領域へ入賞し、かつ、前記特定遊技状態が発生していない通常状態中においては遊技球が前記第２一般入賞領域へ入賞するように構成され、
少なくとも前記第１一般入賞領域に対応した遊技球の払出数より、前記第２一般入賞領域に対応した遊技球の払出数が少なく設定されていることを特徴とする遊技機。